【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
商品が販売された時のみ商品からセキュリティタグを自動的に取外すシステムにおいて、
販売地点に配置されて、購入中の商品を識別するようにセキュリティタグを読取るリーダと、リーダと通信して、商品が販売準備完了であるかどうかを確認する販売地点（ＰＯＳ）装置と、ＰＯＳ装置と通信すると共にＰＯＳ装置によって制御される取外し器とを備え、
商品が販売準備完了であることをＰＯＳ装置が確認した場合にのみ、取外し器が、商品からセキュリティタグを除去するように指令され、
商品が、ＰＯＳ装置のメモリに入力された対応記録を有する場合、商品が販売準備完了であり、
前記対応記録が、商品が特定の商店位置に配置されていないことを示すデータフィールドを含む場合、商品が販売準備完了であるシステム。
【請求項２】
商品が販売された時のみ商品からセキュリティタグを自動的に取外すシステムにおいて、
販売地点に配置されて、購入中の商品を識別するようにセキュリティタグを読取るリーダと、リーダと通信して、商品が販売準備完了であるかどうかを確認する販売地点（ＰＯＳ）装置と、ＰＯＳ装置と通信すると共にＰＯＳ装置によって制御される取外し器とを備え、
商品が販売準備完了であることをＰＯＳ装置が確認した場合にのみ、取外し器が、商品からセキュリティタグを除去するように指令され、
セキュリティタグが、人間のいかなる介入からも独立して、取外し器だけによって活性化できるロッキング機構を備え、
前記ロッキング機構が、少量の強磁性体を含有する変位自在部品を備え、又、変位自在部品は、変位自在部品を変位させるように強磁性体と相互作用し得る、取外し器からの磁界を受ける時にのみ、ロッキング機構を解放するように移動自在であり、
取外し器が、変位自在の永久磁石を備え、更に、前記永久磁石は、前記取外し器がセキュリティタグを除去するように指令される時に前記永久磁石をセキュリティタグの近傍で移動させる機構の使用を必要とする重さを有するシステム。
【請求項３】
商品が販売された時のみ商品からセキュリティタグを自動的に取外すシステムにおいて、
販売地点に配置されて、購入中の商品を識別するようにセキュリティタグを読取るリーダと、リーダと通信して、商品が販売準備完了であるかどうかを確認するデータベースと、データベースと通信すると共にデータベースによって制御される取外し器と、データベースと通信する販売地点（ＰＯＳ）装置とを備え、
商品が販売準備完了であることをデータベースが確認した場合にのみ、取外し器が、商品からセキュリティタグを除去するように指令される一方、商品からセキュリティタグが除去された時に、データベースが、商品アイデンティティと販売情報をＰＯＳ装置に伝えるシステム。
【請求項４】
商品が販売された時のみ商品からセキュリティタグを自動的に取外すシステムにおいて、
販売地点に配置されて、購入中の商品を識別するようにセキュリティタグを読取るリーダと、リーダと通信して、商品が販売準備完了であるかどうかを確認するデータベースと、データベースと通信すると共にデータベースによって制御される取外し器と、データベースと通信する販売地点（ＰＯＳ）装置とを備え、
商品が販売準備完了であることをデータベースが確認した場合にのみ、取外し器が、商品からセキュリティタグを除去するように指令される一方、商品からセキュリティタグが除去された時に、データベースが、商品アイデンティティと販売情報をＰＯＳ装置に伝え、
商品が、データベースに入力された対応記録を有する場合、読取った商品が販売準備完了であり、
前記対応記録が、商品が特定の商店位置に配置されていないことを示すデータフィールドを含む場合、読取った商品が販売準備完了であるシステム。
【請求項５】
商品が販売された時のみ商品からセキュリティタグを自動的に取外すシステムにおいて、
販売地点に配置されて、購入中の商品を識別するようにセキュリティタグを読取るリーダと、リーダと通信して、商品が販売準備完了であるかどうかを確認するデータベースと、データベースと通信すると共にデータベースによって制御される取外し器と、データベースと通信する販売地点（ＰＯＳ）装置とを備え、
商品が販売準備完了であることをデータベースが確認した場合にのみ、取外し器が、商品からセキュリティタグを除去するように指令される一方、商品からセキュリティタグが除去された時に、データベースが、商品アイデンティティと販売情報をＰＯＳ装置に伝え、
セキュリティタグが、人間のいかなる介入からも独立して、取外し器だけによって活性化できるロッキング機構を備え、
前記ロッキング機構が、少量の強磁性体を含有する変位自在部品を備え、又、変位自在部品は、変位自在部品を変位させるように強磁性体と相互作用し得る、取外し器からの磁界を受ける時にのみ、ロッキング機構を解放するように移動自在であり、
取外し器が、変位自在の永久磁石を備え、更に、前記永久磁石は、前記取外し器がセキュリティタグを除去するように指令される時に前記永久磁石をセキュリティタグの近傍で移動させる機構の使用を必要とする重さを有するシステム。
【請求項６】
販売地点で商品が販売された時に商品からセキュリティタグを自動的に除去する方法において、
セキュリティタグを識別するように、商品と関連するセキュリティタグから識別データを読取るステップと、商品と関連するセキュリティタグのための対応記録を含むデータベースと通信することにより、商品が販売準備完了であるかどうかを確認するステップと、商品が販売準備完了である場合に、セキュリティタグを除去するように、商品が販売準備完了であることを確認した前記データベースによって取外し器を活性化するステップとを備え、
前記対応記録が、商品が特定の商店位置に配置されていないことを示すデータフィールドを含む場合、商品が販売準備完了である方法。
【請求項７】
販売地点で商品が販売された時に商品からセキュリティタグを自動的に除去する方法において、
セキュリティタグを識別するように、商品と関連するセキュリティタグから識別データを読取るステップと、読取った識別データを、セキュリティタグに対応するメモリと比較することにより、商品が販売準備完了であるかどうかを確認するステップと、商品が販売準備完了である場合に、セキュリティタグを除去するように、人間の介入から独立して取外し器を活性化するステップとを備え、
前記メモリが、ＰＯＳ装置に接続されたデータベースを備え、該データベースは、商品が販売準備完了である場合に取外し器を活性化すると共に、商品が販売準備完了である場合に識別データをＰＯＳ装置に送出し、
商品が商店内を移動させられるにつれてセキュリティタグにインタロゲートするように、複数のリーダが商店内に分散配置され、又、前記記録が、更に、商店領域内の商品の現在位置に対応して格納された表示を備え、更に、前記確認ステップが、前記表示が、商店内の販売地点でない場所に対応するかどうかを決定することを備える方法。
【請求項８】
販売地点において商品からセキュリティタグを自動的に取外すシステムにおいて、
販売地点に配置されて、購入中の商品を識別するようにセキュリティタグを読取るリーダと、リーダと通信すると共に、一旦リーダがセキュリティタグを読取ると商品からセキュリティタグを除去する取外し器と、リーダと通信すると共に、取外し器がセキュリティタグを除去する時に取外し器のアイデンティティを格納するデータベースとを備えるシステム。
【請求項９】
取外し器がセキュリティタグを除去する時、データベースがその日付と時間を格納する請求項８に記載のシステム。
【請求項１０】
販売地点において商品からセキュリティタグを自動的に取外すシステムにおいて、
販売地点に配置されて、購入中の商品を識別するようにセキュリティタグを読取るリーダと、リーダと通信すると共に、一旦リーダがセキュリティタグを読取ると商品からセキュリティタグを除去する取外し器と、リーダと通信すると共に、取外し器がセキュリティタグを除去する時に取外し器のアイデンティティを格納するデータベースとを備え、
セキュリティタグが、人間のいかなる介入からも独立して、取外し器だけによって活性化できるロッキング機構を備え、
前記ロッキング機構が、少量の強磁性体を含有する変位自在部品を備え、又、変位自在部品は、変位自在部品を変位させるように強磁性体と相互作用し得る、取外し器からの磁界を受ける時にのみ、ロッキング機構を解放するように移動自在であり、
取外し器が、変位自在の永久磁石を備え、更に、前記永久磁石は、前記取外し器がセキュリティタグを除去するように指令される時に前記永久磁石をセキュリティタグの近傍で移動させる機構の使用を必要とする重さを有するシステム。